(57)【特許請求の範囲】
【請求項１】
媒体ディスペンサが、
ベース本体（５）と、
ベース本体（５）に属する媒体オリフィス（９）を備えた出口通路（８）と、
リザーバシール材（１６）によりシールされていて媒体の吐出用量を収容するリザーバ本体（６）の少なくとも１つのリザーバ（７）と、
ベース本体（５）に属していて出口通路（８）を画成する出口シェル（３７）を有し、その出口シェル（３７）が外周を有し、
媒体吐出の際には、出口通路（８）の通路入口（４３）が、リザーバ（７）と係合して、リザーバ（７）のチャンバ（２４）内に向けられる入口流のための通路（５５）を形成するとともにリザーバシール材（１６）を開放し、出口シェル（３７）の外周に、入口流のための通路（５５）が画成されることを特徴とする、媒体ディスペンサ。
【請求項２】
吐出用量を収容するために設けられたリザーバ（７）が、独立したベース本体（４）の内部に設けられていて、チャンバ（２４）が凹状に画成されたリザーバ用のチャンバ（２４）であることを特徴とする、請求項１に記載のディスペンサ。
【請求項３】
操作運動によってリザーバカップ（１５）として形成されたリザーバを開放するとともに出口通路（８）をリザーバカップ（１５）に対して隣接させる手動操作手段が設けられていて、出口シェル（３７）がスパイク（３７）であることを特徴とする、請求項１又は２に記載のディスペンサ。
【請求項４】
出口通路（８）が、媒体の吐出の際には、ストッパ（５４）によってリザーバカップ（１５）に対して適所にロックされることを特徴とする、請求項１〜３のいずれか１項に記載のディスペンサ。
【請求項５】
出口通路（８）の通路入口（４３）の領域内において、リザーバシール材（１６）を開放するために開放工具（４０）が設けられていて、開放工具（４０）が、軸方向に見て、出口通路（８）をカバーし、開放工具（４０）が、実質的に切り開く作用のみによってリザーバシール材（１６）を開放するものとして形成されていることを特徴とする、請求項１〜４のいずれか１項に記載のディスペンサ。
【請求項６】
リザーバカップ（１５）が設けられた第１のベース本体（４）と、出口通路（８）が設けられた第２のベース本体（５）が、互いに移動可能に装着されて互いに対して接続されるとともに、媒体の吐出の際には、実質的にリザーバ本体（６）を介してのみ接続されていて、リザーバ本体（６）が、リザーバカップ（１５）に対して直接に隣接した伸縮式取付け台（３０）を介して第２のベース本体（５）に装着されていることを特徴とする、請求項２〜５のいずれか１項に記載のディスペンサ。
【請求項７】
少なくとも第２のベース本体（５）が、実質的にキャップとして形成され、少なくとも媒体の吐出の際には、キャップシェル（２６、３２）の区域の中に配置される捩じれ防止ロック（５７）によって、リザーバ本体（６）に対する適所から捩じって外されることが確実に防止されることを特徴とする、請求項１〜６のいずれか１項に記載のディスペンサ。
【請求項８】
出口通路（８）を有する第２のベース本体（５）が、その自由端部において自由に突出する吐出ノズル（３４）を有し、吐出ノズル（３４）が、互いに半径方向に離間して入れ子式に配置され且つ長さが異なる２つのシェル（３７、３８）によって画成される媒体オリフィス（９）によって貫通されるように構成されていて、内側の出口シェル（３７）が、ベース本体（５）の中へ自由に突出する出口通路（８）を画成していることを特徴とする、請求項１〜７のいずれか１項に記載のディスペンサ。
【請求項９】
通路（５５）が、リザーバ本体（６）及び第１のベース本体（４）の周辺外側表面領域によって画成されていて、通路（５５）が、第２のベース本体（５）のキャップ表側壁部（３３）の内側側面及び後者に対向するリザーバ本体（６）の表側表面領域（１９）によって画成されていることを特徴とする、請求項２〜８のいずれか１項に記載のディスペンサ。
【発明の詳細な説明】
本発明は、媒体のディスペンサに関するものである。そのような媒体ディスペンサすなわち媒体吐出装置は、より詳細には、好ましくは粉体の媒体で、気体状、糊状、又は液体状の媒体であるような流動性媒体のためのものとして適している。それを適切に使用するとき、即ち前記媒体を吐出する際、前記ディスペンサは、それが好ましくはその中に内包された薬剤活性物質を吸引即ち吸入するためのものとして適していて、例えば鼻の粘膜に対してそれが放出され得るように成して、片手で把持され或いは操作されるべきである。前記ディスペンサは、全体として射出成形品即ちプラスチック部品によって形成されることが可能である。
米国特許出願第５，５３３，５０２号は、薬剤容器と呼ばれる前記送出し用量を収容するための各々の単一のリザーバが、前記環状ディスク形状のリザーバ本体の中における卵形の盲孔であるように成した、ディスペンサを開示している。薬剤キャリアと呼ばれるこのリザーバ本体は、それに対応するベース本体の最外部の環状ショルダの上に確実に装着して配置される。
本発明は、既知の構成の欠陥を未然に防止して、製造、組立て、取扱い、保守などが簡単であるディスペンサによる微少容積の送出しを許容するように成した、ディスペンサを提供するという目的に基づくものである。
本発明に拠れば、請求項１において規定されるような機構が設けられる。前記媒体の個別的な送出し用量は、実質的に気密に事前密閉されるカップ状又は類似のリザーバチャンバの中に設けられることが可能であり、それが前記媒体の吐出における入口流／送出し流によって可能な限り完全に撹拌され得るように成して、前記媒体が、前記リザーバカップから、そこから離れた前記媒体オリフィスのみを介して一回で完全に空にされることを保証する。前記入口流は、上述の種類のものであるが、より詳細には空気である媒体によって形成されることが可能であり、前記空気は、前記ディスペンサの中へ外部から流れ込み、通路を介して前記リザーバカップに対するアクセスを獲得し、前記リザーバカップでは、渦巻き即ち回転流が生成され、その中に貯蔵された前記媒体を撹拌して飛沫同伴し、その結果、前記媒体オリフィスを介してその雰囲気に流れ出す前記吐出流として出現することになる。前記吐出流は、前記ディスペンサの圧力供給源即ちポンプによって生成されることも可能であるが、特に簡単な構成は、前記入口流が、前記出口通路又は前記リザーバカップの中における吸込み流によって、即ち例えば前記媒体オリフィスを介して吸引するユーザーのみによって生成されるときに実現する。
前記リザーバチャンバは、ブリスタパックのように、カップ状の本体と、前記リザーバ本体の中における前記リザーバ開口部の廻りにおいてその表側に対して固定されるように成した前記リザーバシール材としてのプラスチックフィルム又は金属箔などとを含んで成ることが可能であり、このフィルム／箔は、単層又は複層に形成され、ホットシーリングのような接着によって都合良く取り付けられ、気密シール材を形成して、前記媒体が前記リザーバ本体の隣接する表面領域と前記密閉壁部との間において前記リザーバチャンバからのアクセスを獲得することを防止する。しかしながら、前記リザーバチャンバは、事前取付けされたプランジャを備えるか或いは備えないポンプシリンダであることもまた可能であり、前記ポンプシリンダの中には、作動の際に、１本の指が、プランジャと共に或いはプランジャなしで進入する。
前記媒体の前記貯蔵用量の吐出に先行して、このシール材は、裂かれるが、前記接着即ちシール接続部を破壊することはないように成して開放されるものであり、より詳細には、それは、分離されることになる前記シール材の如何なる残骸もなしに、即ち、その代わりに、前記シール材のすべての部分が開放の後にも前記リザーバ本体に対して確実に取り付けられたままで残るように成して、単に切り開かれるものであるに過ぎず、それらは、前記流れの中において前記出口通路まで飛沫同伴され得るものではないのである。この開放操作のために、前記ディスペンサは、前記プランジャの代わりに、或いはそれに加えて、好ましくは前記出口通路の流入端部に設けられ、且つ２つの段階において連続して機能し得るように成した、工具を含んで成る。
前記第１の段階では、前記密閉壁部の中心だけが、それが裂けるまでは前記リザーバチャンバの中に対して付勢され、その後、前記密閉壁部は、半径方向に切り開かれて、前記密閉壁部の数個の半径方向フラップを形成し、それらのフラップは、前記第２の段階において、前記リザーバ本体に対して適所に締め付けられることによって外に拡げられ即ち限定され、結果として、非常に可撓的な密閉フィルム／箔の場合であっても、一旦、前記流れ作用が有効になると、前記密閉フラップが前記通路断面を再閉鎖し即ち限定してしまうという危険なしで、前記入口流のための十分に大きな通路断面積が実現することを保証するのである。
前記リザーバチャンバの容積は、その中に貯蔵された吐出用量の容積よりも、数倍大きいことが可能であり、例えば２倍又は３倍ほど大きいものであり、既に前記媒体の吐出の開始時にあるときには、適切に大きな間隙が、渦巻き流を展開させるために利用可能であり、通路入口即ちその入口開口部は、前記リザーバチャンバの中へ突入する際にも、前記媒体によって完全に覆われてしまうものではないのである。前記入口流は、前記リザーバチャンバ及び／又は出口ノズルによって画成される環状通路を都合良く介して、前記媒体に対する直接的なアクセスを獲得するものであり、それによって、前記環状通路を離れるとき、前記入口流は、一種の環状ローラとして半径方向内側に向かって案内され、その後、反対方向において前記出口通路へ戻るように案内される。前記リザーバチャンバの全幅に渡って凹状である前記リザーバカップの底部だけでなく、前記出口通路の円錐状先細に形成される端部もまた、前記逆転流のための湾曲した即ち傾斜した案内表面領域として機能する。前記媒体の吐出の間、これらの案内表面領域は、互いに対して規定され、中心配置されて、静止され、前記カップチャンバ即ちその底部の規定領域が接触しないままに留まるような僅かな運動の自由度しか有するものではないことになる。前記密閉壁部のそれらのフラップは、前記リザーバチャンバの内部における前記入口流のための通路を画成するが、それらの通路は、前記リザーバの開口部から前記案内表面領域の区域にまで達するものであり、それらの端部は、前記空気流の中で自由にはためいて、前記媒体を機械的に巻き上がらせるのである。
前記ディスペンサは、前記リザーバカップを都合良く完全にハウジングの中へ受け入れるものであり、前記ハウジングは、前記媒体オリフィスに対して永続的に固定され得るか、或いは可動式であることも可能である。好適には、前記リザーバチャンバは、例えば前記カップの中心線に対して平行にシフト可能であるか或いは前記カップ中心線に対して平行である軸の廻りにおいてピボット旋回可能であることによって、前記媒体オリフィス、前記出口通路、前記開放工具などに対して可動的である。このピボット旋回軸又は捩じれ軸は、完全に前記リザーバチャンバの外側において半径方向に配置されるので、それは、前記出口通路と整列した位置から、そこから離れた位置に向かって並進されることが可能である。前記リザーバシール材が開放されることを可能にするのは、この軸方向運動であり、その回転運動は、前記リザーバカップが休止位置から作動位置に並進されることを可能にするものであり、前記リザーバカップは、前記出口通路が軸方向にシフトされるときに前記休止位置においては前記出口通路と接触し得ないことになる。
前記ディスペンサは、共通のリザーバ本体の上において、寸法が同じであるか或いは異なっている２つ又はそれ以上のリザーバチャンバを含んで成ることが可能であり、前記リザーバチャンバは、上述の運動の１つによって前記作動位置即ち吐出位置に連続して並進されることが可能であり、結果として、それぞれに別個に一回で空にされることになる。これらのリザーバチャンバは、回転の軸の廻りにおいて有益に一様になるようにして配分され、それによって、それらの間では、支持付属物即ち取付け付属物が、それらのカップの底部を越えて突出して、軸方向の作動力を前記リザーバ本体に対して直接に伝達するように成して、設けられることが可能である。
前記リザーバ壁部を貫通すること即ち前記媒体の吐出のための操作を容易にするために、互いに対して移動可能であるそれらの部分は、この目的のために、圧力点を介して都合良く負荷を受けるものであり、その打破の後、前記操作を妨げる力は、前記ストッパに達するまで終始実質的に縮小されるので、前記ディスペンサは、比較的高い速度で前記ストロークの端部位置まで並進されることが可能である。前記圧力点の自動解放に抵抗する力は、バネラッチ、設計破壊点などによって形成されることも可能である。この目的のために相互係合によって或いは前記作動力によって解放するそれらの部材は、捩じれに抵抗する部材と同様に、前記リザーバ本体の外周の領域の中に配置され、或いは、その最外部の外周によって形成されることが可能であり、前記リザーバ本体は、この目的のための独立した付属物などを全く必要としないことになる。
前記リザーバ本体が前記媒体の吐出において前記出口通路の内側端部から捩じれて外れることがそれによって防止されるように成した前記捩じれ抵抗部材は、前記リザーバ本体の始動位置から前記ストロークの端部位置に達するまで終始確実に機能することが可能であるが、それでもなお、例えば、前記ストッパに達するまで伸縮的に伸長可能である前記ディスペンサの２つの作動ユニットによって、解放され得るものでもある。この構成では、前記圧力点は、その反対方向において打破されることが可能であり、それらの作動ユニットは、その後、前記始動位置に配置され、それらは、前記始動位置では、両方の対向方向においてストッパ限定され、即ち対抗してストッパによって伸縮的に伸長され、前記ストッパは、打破することが非常に困難であり、対抗して前記圧力点の制御装置の接触摺動表面領域によって伸縮的に収縮され、前記制御装置は、打破することが実質的により容易なものである。
前記ディスペンサは、例えば、周方向又は取り囲まれる長手方向において片手で完全に把持されるように小型に形成されることが可能であり、その吐出ノズルは、その手の２本の指の間において自由に突出する。その最も大きな半径方向幅は、最大で６０ｍｍ又は５０ｍｍであり、後者に比べて最大で２倍ほど大きいものであるその長さは、最大で９０ｍｍ又は７０ｍｍであることが可能である。これらの寸法は、すべての相互の位置的な規定と同様に、前記ディスペンサが作動された後には、前記始動位置だけでなく前記端部位置に対しても適用されることが可能である。
これらの特徴及び更なる特徴は、その説明及び図面から理解されるものであり、その個別的な特徴の各々が、それら自体だけで達成され、或いは１つの実施例における副次的な組合せの形態で個々に達成されて、有益な様相を提示することも可能である。
本発明の具体的な実施例は、以下で更に詳細に説明されて、以下のような図面で図示されるものである。
図１は、部分的に軸方向断面で示されるように成した、本発明に拠るディスペンサの図面である。
図２は、図１で示された前記ディスペンサの平面図である。
図３は、図１と同様に示された更なる実施例の図面である。
図４は、図３で示されたようなディスペンサを部分的に断面で示す平面図である。
前記ディスペンサ１は、互いに直角に交差して配置される２つの方向において手動操作によって対向して移動可能である２つのユニット２，３を含んで成る。直線的な運動によって、それらのユニット２，３は、始動位置即ち休止位置から、前記ディスペンサ１を短縮させて、操作端部位置即ち作動位置まで並進されるだけでなく、手動の力によって前記始動位置へ戻るように並進されるものでもある。回転運動によって、それらのユニット２，３は、各々の場合に少なくとも１８０度又は全回転以上に渡って対向方向における前記直線的な休止位置においてのみ様々な任意選択的な位置に対向して転位される。前記媒体の吐出に際して下向きに配置される前記第１のユニット２は、内側のリザーバ本体６を備えたボウル型のベース本体４を含んで成り、前記媒体の吐出に際して前記他方のユニットの頂部に配置される前記第２のユニット３は、ベース本体５を含んで成る。ベース本体４，５の各々だけでなく、前記リザーバ本体６もまた、完全に一体的に形成される。
前記ベース本体４から独立した前記リザーバ本体６は、前記ベース本体４と共に一体的に形成されることも可能であり、それに加えて、前記２つのベース本体４，５が、互いに一体的に製造され、その後、互いに分割されることなく、前記相互的な製造位置から回転されることによって前記始動位置又はそれとは異なった作動位置に向かって並進されることもまた可能である。この結果、前記ディスペンサは、如何なる金属を採用することもなく、プラスチック材料即ち射出成形部品のみによって形成されることが可能であり、制御バネ即ち復帰バネのような如何なるバネをも必要とするものではない。更になお、前記ディスペンサは、例えば、１０ｃｍ，８ｃｍ又は６ｃｍの長さと、後者に比べて小さいものであり、それに対して直角に交差するように成した６ｃｍ，５ｃｍ又は４ｃｍの幅とを含んで成るようにして、小型に形成されることが可能であり、それによって、上述の寸法の各々は、最大値又は最小値であり得ることになる。前記ディスペンサは、単独用量のみの前記媒体を吐出するように成して、或いは、前記ユニット２，３の前記直線的な転位又は回転の軸に対して直角に交差する平面の中において互いに隣接して配置され、且つ独立したリザーバ７の中に収容される少なくとも又は最大で二回、三回又は四回分の用量の前記媒体を連続して吐出するように成して、形成されることが可能である。各々のリザーバ７の空間容積は、その中に収容された前記媒体の容積よりも実質的に大きいので、前記媒体は、撹拌によって前記リザーバ７の中において移動され即ち揺り動かされることになる。
吐出されると、前記媒体は、前記リザーバ７から媒体オリフィス９に達するまで終始直線的である出口通路８の中へ直接に流れ込むことになり、前記出口通路の流れ断面積は、前記リザーバ７から前記媒体オリフィス９に達するまで連続して増大する。前記出口通路８は、断面においては、内周によって形成される単一の規定領域のみによって構成されるものであり、前記リザーバ７の最も大きい内側の幅よりも小さいように成した最大の幅を両端において有する。前記媒体の吐出においてだけでなく、それに先行する前記始動位置においても、前記リザーバ７及び前記出口通路８は、転位の方向に対して平行である共通の軸１０の中に配置され、前記軸と比べて、それに対して平行である前記軸１１は、前記ユニット２，３の回転運動のためにそこから所定の間隔だけ横方向に離間して配置され、前記間隔は、前記ディスペンサ１の最大幅の３分の１よりも小さいことになる。前記軸１１は、前記ディスペンサ１又は前記ユニット２，３の各々に関する中心線と、前記ベース本体４，リザーバ本体６に関する対称軸とを形成する。吐出される際、前記媒体は、前記ユニット２から方向１２において前記ユニット３を介して流れるものであり、前記作動端部位置に並進させるために、前記ユニット３は、反対の方向１３において前記ユニット２に対して移動されることが必要である。様々な回転位置に並進させるために、それらのユニット２，３は、前記軸１１の廻りの方向１４において対向して捩じられる。所定の作動端部位置が、図１では一点鎖線で示されている。吐出される際、前記媒体は、全体として前記媒体オリフィス９において前記ディスペンサ１から分離する。
各々のリザーバ７に関して、前記リザーバ本体６は、独立したリザーバカップ１５を含んで成り、その平坦な開口部は、平坦なリザーバシール材１６、即ちダイアフラム、フィルム、箔などによって気密に密閉されるものであり、前記リザーバカップ１５は、前記リザーバシール材１６を破壊することによってのみ開放されることが可能である。内側には凹状に外側には凸状に湾曲した前記リザーバカップ１５の底壁部は、半球状のリザーバ底部１７を内側に形成するものであり、前記リザーバ底部は、前記開口部に達するまで幅が一定であるリザーバシェル１８になるべく連続して移行する。前記リザーバシェル１８の長さは、その幅又は前記リザーバ底部１７の最大幅よりも実質的に小さいものであり、この幅の半径の３分の１又は２分の１よりも小さいことが可能である。前記リザーバ開口部は、前記リザーバ本体６の平面の全体に渡って前記軸１０，１１に対して直角に交差して配置される表側表面領域１９の中に配置されるものであり、前記ユニット２，ベース本体４の最外部の外周に達するまで延在し、前記媒体オリフィス９に対して最も接近したユニット２，ベース本体４，リザーバ本体６の表面領域を永続的に形成する。
すべてのリザーバ７は、前記軸１１の中に配置される全体に渡って中空である管状の支持本体２０と共に一体的に形成されるものであり、前記支持本体の外周は、前記軸１１の廻りに一様に配分される独立した各ステム２１を介して各リザーバカップ１５によって接続され、その結果として、前記リザーバ本体６は、異なった壁の厚さを有することになり、即ち、前記リザーバカップ１５の領域内において、前記支持本体２０の下側端部だけでなく、フランジ付きデッキ２２即ちリムの領域内においても小さいが、それぞれに他のものと同じ大きさである壁の厚さと、各ステム２１の領域内では、後者と比べて２倍以上である壁の厚さとを有するのである。前記ステム（接続部）２１とデッキ（リム）２２は、協働して前記表側表面領域１９を形成するものであり、前記ステム２１は、前記リザーバカップ１５よりも軸方向において短いので、その湾曲した底壁部は、前記ステム２１を越えて下向きに突出し、且つ前記支持本体２０の外周に隣接して半径方向に離間して配置される。
前記軸１１からの前記リザーバカップ１５の外周の半径方向間隔は、自由に露出した前記支持本体２０の外周の半径と等しいものであり、前記ステム２１は、前記軸１０，１１に共通する平面に対して直角に交差するこれらの外周を越えて突出することにはならない。図２で示された軸方向の図面において、前記ディスペンサ１は、そのユニット２，３即ち前記ベース本体４，５の各々と全く同様に、この軸方向平面に対して平行に伸長される卵型であり、その最小の幅は、最大でも又は少なくともその最大幅の２分の１に達するものであり、２つのリザーバ７の一方が、各々の端部に配置される。直径方向に対向して配置される厚くなったステム２１の故に、更には前記リザーバ開口部のみによって貫通される前記デッキ２２の故に、それらのリザーバ７は、互いに対して実質的に可撓的に剛直に接続され、前記支持本体２０に対しても接続される。それらのリザーバ７は、前記ベース本体４に対する前記リザーバ本体６の固定接続部によって更に補強される。前記デッキ２２の当該リムは、その全周によって、前記媒体オリフィス９に面する前記ベース本体４の表側即ち端部表面領域に載置されるものであり、この表側即ち端部表面領域は、幅及び厚さが一貫した前記ベース本体４のリム２３によって形成される。それらのデッキ２２，リム２３は、互いに一体的に形成されることも可能であり、前記リザーバ開口部及び前記リザーバシェル１８の平面の中におけるすべてのリザーバ７の前記リザーバ用のチャンバ２４を取り囲むことが可能である。
前記ベース本体４は、軸方向に見て伸長して形成されるキャップ２５によって形成されるものであり、前記キャップは、各々の軸方向断面において、前記リム２３に達するまで全体に渡って一定である内側と外側の幅を含んで成り、キャップシェル２６だけでなく、前記媒体オリフィス９から反対側に面するその端部における平坦な表側壁部２７をも形成する。各々のリザーバカップ１５は、前記軸１１から最も遠く離れたその部分において前記キャップシェル２６の内周と接触するものであり、即ち、前記軸１０，１１の方向の平面に対して対称的であり、その外周の半分の部分的な周囲によって、即ち前記リザーバ底部１７と前記リザーバシェル１８の間の移行部に達するところまでのみ、前記リム２３の内周と直接に隣接するものであり、前記リザーバカップ１５の底壁部は、如何なる接触もなしに完全に前記ベース本体４の中に配置されることになる。前記リム２３は、前記キャップシェル２６の外周を越えてのみ突出し、前記デッキ２２と共に、その周囲の廻りに、全体に渡って継続する共通の滑らかな表面領域を形成するものであり、前記表面領域が、前記ユニット２の最も大きな外側の幅を規定する。前記表側壁部２７の底部は、各リザーバカップ１５から軸方向に離間して配置されるものであり、この軸方向の間隔は、その軸方向の範囲よりも大きい。各リザーバカップ１５から離間して配置されるので、各キャップシェル２６の壁部，表側壁部２７は、各キャップシェル２６の壁部，表側壁部２７の内側と、前記表側壁部２７の底部の内側に達するまで延在する前記支持本体２０の外周とにおいてのみ隣接するリブ２８のような補強材によって相互に接合される。前記軸１１に対して半径方向に配置されるウェブ形状の各リブ２８は、結果として、それらの互いの端部エッジによって、前記支持本体２０の下側端部部分を締め付けて受け入れるための分割式センタリング開口部を形成する。
前記リザーバ本体６が前記ベース本体４の中に挿入されるときに、このセンタリング開口部に係合するのは、先ず第１に前記支持本体２０であり、その後、前記挿入の方向１３に対して傾斜して配置される前記リザーバカップ１５の外側表面領域は、前記シェル２６の内側表面に対して係合し、結果として、必要に応じて、前記ベース本体４，リザーバ本体６の相互に捩じれた位置合わせを形成することになる。前記ベース本体４，リザーバ本体６が、その後、対向して確実且つ永続的に間隙ゼロで適所から外れて捩じれることを防止されるのは、前記キャップ２５の内側表面領域に対する各リザーバカップ１５の外側表面領域の係合に拠ってだけである。前記デッキ２２，リム２３及び前記支持本体２０の部分，表側壁部２７の部分による相互ストッパの故に、前記ベース本体４，リザーバ本体６は、永続的に間隙ゼロで適所において対向して軸方向にロックされる。各リザーバカップ１５の外周は、半径方向の圧力によって前記ベース本体４の内周を締め付けるように係合することが可能であり、或いは、前記デッキ２２，リム２３が、互いに対して高温密閉され即ち融着されることも可能であり、それらのベース本体４，リザーバ本体６の如何なる偶発的な分離も排除されることになる。前記リザーバ本体６は、そのカップ開口部において前記ベース本体４の内部を気密に密閉する。前記支持本体２０だけでなく各ステム２１に関するものでもある外周の反対側において、即ちその平坦な長手方向側面の領域の中において、前記ベース本体４の内周は、前記リザーバ本体６に対する接触を全く有するものではない。何故なら、前記支持本体２０及び前記軸１０，１１の方向の平面に対して直交する各ステム２１の外側幅が、前記リザーバカップ１５の対応する外側幅よりも小さいからである。前記表側壁部２７の平面の全体に渡る外側側面は、１本又はそれ以上の指を配置するための取っ手２９だけでなく、平坦なテーブルの頂部において前記ディスペンサを確実に立たせるための表面領域をも形成する。
前記２つのユニット２，ベース本体４及びユニット３，ベース本体５は、前記操作運動の開始の前又は直後において、前記軸１１の中において中心に配置される単一の伸縮式取付け台３０の接続部のみによって、互いに接続されるものであり、前記接続部は、前記ベース本体４からリザーバ本体６の１つ又はそれ以上のものと一体的に形成されることも可能である。しかしながら、この場合、前記始動位置においてそれらのユニット２，３の間に露出する前記伸縮式取付け台３０の接続部は、前記ベース本体４からリザーバ本体６とは別個の構成要素によって形成されるものであり、両方の軸方向においてそれらのシフト運動を許容し、半径方向の間隙ゼロではあるが、それらの相互の回転運動をも許容する。前記始動位置では、すべてのリザーバカップ１５は、完全に前記ベース本体５の外側に配置され、前記操作端部位置では、完全に前記ベース本体５の内側に配置されるものであり、その後は、各リザーバ７に隣接する前記ベース本体４の長手方向部分だけが、取っ手２９と共に、前記操作端部位置を越えて外側に向かって突出する。
前記ベース本体５は、同様に一体的であり、軸方向から見て、伸長した卵型であるキャップ３１を含んで成り、前記キャップシェル３２は、取っ手２９の方向においてのみ、その平坦なキャップ表側壁部３３から自由に突出する。前記キャップシェル３２の内周は、前記ベース本体４又は前記デッキ２２，リム２３の外周よりも僅かに幅広であり、後者のものは、多かれ少なかれ前記キャップ表側壁部３３の内側の通路に達するまで前記キャップシェル３２の中に押し込まれることが可能であり、結果として、前記キャップシェル３２の壁部，キャップ表側壁部３３の内側側面と前記デッキ２２，リム２３，キャップシェル２６の壁部の外側側面の間において自由に留まることになる。これらの通路は、吸込み流路として、前記ディスペンサ１を取り囲む外部環境に対して前記開放したリザーバ用のチャンバ２４を接続して、複数回曲がった流れの方向に走るものであり、先ず初めに前記方向１２においてキャップシェル２６，リム２３，デッキ２２の壁部の外周に沿って流れ、続いて、前記伸縮式取付け台３０の接続部の廻りにおいて前記表側表面領域１９又は前記リザーバシール材１６の表面領域に沿って前記軸１０，１１を横断し、更に続いて、前記方向１３において前記リザーバ底部１７に向かって前記リザーバ開口部を通過し、そこから、それらは、前記方向１２に偏向されて前記出口通路８に向かって並進するのである。これらの通路は、中断なしに前記ベース本体４，リザーバ本体６の全周を通過することが可能であり、前記操作端部位置において、それらは、前記出口通路８よりも全体として大きな通路断面を含んで成るものであるが、前記デッキ２２，リム２３によって画成される縊れ即ちフルイ間隙を形成して、如何なる異物の吸込みをも防止する。それらのデッキ２２，リム２３の表側壁部の間において、それらの通路は、前記表側表面領域１９の全体に渡って延在する平坦な通路間隙を形成するものであり、この間隙は、前記伸縮式取付け台３０の接続部によってのみ中央を貫通されるので、後者のものは、前記空気流によって直接に取り囲まれることになる。
前記軸１０の中において前記キャップ表側壁部３３の外側側面を越えて突出するものは、前記ベース本体５，キャップ３１と共に一体的に形成された吐出ノズル３４である。前記吐出ノズル３４の端部表面領域の中に配置されるものは、少なくとも２ｍｍ，４ｍｍ又は５ｍｍの幅を有する直円開口部としての媒体オリフィス９である。前記吐出ノズル３４の外周に隣接し且つ直接に接続するものであり、その他の点では平坦である前記キャップ表側壁部３３の外側側面は、その同じ手の１本又はそれ以上の指を配置するための第２の取っ手３５を形成する。取っ手２９と同様に、前記取っ手３５は、それに対応するキャップシェル２６及び３２のそれぞれに達するまで全長に渡って延在するものであり、それによって、両方の取っ手２９，３５は、前記軸１１によって貫通される。何故なら、前記吐出ノズル３４は、全体として前記軸１１に隣接するが、そこから離間して配置されるからである。前記吐出ノズル３４に対して偏心的に隣接して前記キャップ表側壁部３３の内側側面を越えてのみ前記キャップシェル３２より少ししか突出しないものは、完全に前記キャップ３１の中に配置される突起３６である。前記スリーブ形状の挿入用の突起３６は、前記キャップ表側壁部３３と共に一体的に形成されて、前記伸縮式取付け台３０の接続部の一部を形成するものである。
前記二重壁式の吐出ノズル３４は、前記キャップ表側壁部３３に達するまで前記方向１３において鋭角を為して円錐状に拡がる最外部のシェル３８を含んで成るものであり、このシェルは、前記キャップ表側壁部３３に達するところまでのみ延在し、その中へ一体的に移行する。前記媒体オリフィス９に配置される他方の端部において、前記シェル３８は、鋭角を為して円錐状に先細に形成されて自由に突出する内側の出口シェル３７へと一体的に移行するものであり、前記内側の出口シェルは、前記媒体オリフィス９に達するまで延在する前記シェル３８との接続部から、その全長及びその外周の大部分に渡って前記シェル３８に対して接触するものではなく、結果として、前記方向１３において前記キャップ表側壁部３３の内側側面を越えて前記キャップ３１の中へ自由に突出する。前記出口シェル３７の外周は、リブ３９のような補強材を介して前記シェル３８の内周に対して一体的に接続されるものであり、それらの補強材は、前記出口シェル３７，シェル３８の間の移行部から前記キャップ表側壁部３３の内周に達するだけでなく、前記キャップ３１の中にまで突出する。それらの長手方向即ち軸方向のリブ３９は、前記軸１０の廻りに一様に配分されるものであり、それらの管状の出口シェル３７，シェル３８の隣接端部に対して引っ込められる。
管状の出口シェル３７の内周は、前記方向１２において鋭角を為して円錐状に拡がる唯一の出口通路８を単独で画成する。前記吐出ノズル３４の長さは、前記休止位置又は前記操作端部位置における前記取っ手２９，３５の間の間隔よりも短めである。前記吐出ノズル３４の外側幅は、それが鼻孔の中に導入されて、既に僅かにのみ挿入されたときに前記鼻孔の内側に対して比較的ピッタリと接触することが可能であるほどに大きいように成して、６ｍｍの直径を備えたその自由な表側表面領域を越えて接近して選択される。上述の表側表面領域は、丸められて、前記シェル３８の円錐状の外周に移行する。あらゆる作動回転位置において前記軸１０の廻りに部分的即ち半円状に湾曲するものは、前記キャップシェル２６，３２でもあり、前記デッキ２２，リム２３でもあり、それによって、これらの湾曲部分は、軸方向から見て、各々の場合に前記シェル又はリムの真っ直ぐな側面形成部分を介して互いに移行することになる。
図１から明らかであるように、独立したリザーバシール材１６は、各々のリザーバ用のチャンバ２４に関して設けられているが、全体を通して一体的である共通のシール材が、２つ又はそれ以上或いはすべてのリザーバ用のチャンバ２４のために設けられることもまた可能である。前記リザーバシール材１６は、ホットシーリング即ち融着によって前記表側表面領域１９に対してのみ接合されるものであり、それは、前記表面領域を越えて、最大でも１ミリメートルの２分の１又は１０分の１というその厚さによってのみ突出する。可撓性であるが前記出口通路８の前記軸１０の中に配置されるチャンバ２４から残骸なしに裂けることも可能である前記リザーバシール材１６を開放するために、開放工具４０が前記ユニット３，ベース本体５において設けられ、この工具は、前記出口通路８又は前記出口シェル３７の端部において完全に前記キャップ３１の中に配置されて、この端部を越えて突出することになり、その結果、前記内側シェルは、出口シェル（スパイク）３７を形成し、前記完全な開放工具４０は、前記スパイクと共に、その残りのベース本体５と同様に一体的に形成されるのである。
前記軸１０の中において密閉平面である前記表側表面領域１９に最も接近して配置されるものは、前記方向１３に向いた開放工具４０の尖端４１であり、この尖端は、９０度の円錐状に尖った尖端として前記中空の出口シェル３７の対応する端部から離間して形成される。前記方向１２において前記尖端４１に対して一体的に隣接するものは、ウェブ４２であり、前記尖端４１から離間したそれらのウェブの端部は、前記出口シェル３７の表側即ち端部表面領域に対して一体的に隣接するものであり、それらは、この表側表面領域の平面の中において前記出口シェル３７の内周も外周も越えることなく突出する。前記軸１０の廻りに一様に配分されるその４枚のウェブ４２の外側長手方向のエッジは、前記尖端４１の外周の滑らかな傾斜継続部分を形成するものであり、それらの内側長手方向のエッジは、同様に前記軸１０に対して傾斜して前記方向１２に分岐する。各々のウェブ４２の側面エッジは、互いに対して平行に配置されるものであり、それらの間では、前記出口通路８の通路入口４３の三角ポート４４が、各々の場合に前記軸１０の廻りに一様に配置されて形成される。前記単一の三角ポート４４だけでなく、すべての三角ポート４４をも併せた前記通路断面は、前記出口通路８、前記媒体オリフィス９のもの、及び送出し空気流のための前述の通路のものよりも小さめであり、その結果、前記開放工具４０は、前記出口シェル３７の前記平坦な端部表面領域を越える突起、フルイ、流れ制限装置、及び前記流れのための渦巻き形成装置を形成することになり、前記工具の各三角ポート４４は、前記出口シェル３７の前記端部表面領域によってだけでなく、各ウェブ４２によっても画成されるのである。
前記ベース本体５即ちその出口シェル３７が前記ベース本体４又はリザーバ本体６に対して直接にストッパ限定されるように成した前記操作端部位置において、前記尖端４１の端部は、前記リザーバ底部１７から、その湾曲半径又はその２分の１よりも小さい所定の間隔だけ離間して配置されるものであるが、前記出口シェル３７の前記端部表面領域は、前記リザーバ底部１７の区域の中に、或いは前記リザーバ底部１７と前記リザーバシェル１８の間の移行部の区域の中に配置される。前記出口シェル３７の外周は、その後、前記リザーバシェル１８と共に、各リブ３９によって遮断される環状通路を画成するものであり、この環状通路は、前記リザーバ開口部又は前記表側表面領域１９から始まって、軸方向において前記リザーバ底部１７の表面領域の方向を向くことになる。前記出口シェル３７の前記端部表面領域において、その後、各ウェブ４２及びその反対側のリザーバ底部１７の底壁部によって画成されるこの環状通路の継続部分は、前記尖端４１に向かって再び狭くなるその前に、先ず初めに幅広な通路断面という形態を採る。前記環状通路を介して前記リザーバ底部１７の表面領域に向かって流れる前記空気は、前記リザーバ底部１７の案内表面領域によって前記軸１０の廻りを旋回させられるものであり、この渦巻き流は、各三角ポート４４を介して前記出口通路８の中へ進入し、それと同時に前記媒体と混合されて前記媒体オリフィス９から出て行くのである。
前記閉鎖したチャンバ２４は、前記リザーバ底部１７を部分的にカバーするに足る媒体のみを都合良く満たされるものであり、前記作動位置において、各三角ポート４４は、前記媒体の中に全く浸らないか又は部分的にのみ浸ることになり、結果として、前記媒体の非常に良好な旋回式の飛沫同伴を達成し、更には、膠着する微粒子によって形成される可能性がある何らかの大きな粒子の寸法の削減をも達成するのである。前記出口シェル３７が前記チャンバ２４の中に潜り込むとき、前記媒体は、前記開放工具４０によって前記軸１０の廻りにおいて半径方向外側に向かって転位されるので、その中心に満たされた前記媒体は、凹みを形成することになる。
駆動操作において、先ず初めに前記リザーバシール材１６に接触するものは、前記尖端４１だけであり、前記リザーバシェル１８にまで達する半径方向の線に沿ってのみ各ウェブ４２及び各リブ３９による更なる駆動操作において切り開かれ、個々の円弧断片のフラップに分割されるその前に、それに穴を開けることになる。これらのフラップは、その後、前記チャンバ２４の中において前記媒体の表面レベルに達するところまでのみ延在するものであり、前記空気の入口流によって半径方向に振動して、はためかされ、前記媒体に衝突する前記送出し流を脈動させるので、それもまた、脈動して前記媒体オリフィス９から出て行くことになる。各々のリブ３９は、１つのウェブ（工具部材）４２と共に、共通の軸方向平面の中において前記軸１０の同じ側面に配置されて、前記キャップシェル３２の外周の廻りに割り当てられるこのウェブ４２へと移行する。
前記伸縮式取付け台３０の接続部は、前記ベース本体４からリザーバ本体６とは別個である単一の接続部材４５、即ち軸方向に確実に装着され、適所から捩じれて外れることを防止されるように成した前記ベース本体５に接続されるアーバのみによって構成される。全長に渡って回転対称に形成されて前記軸１１の中に配置されるように成した前記中空の接続部材４５の先細に形成される端部は、前記突起（接続部材）３６の中に確実に装着されるコネクタスピゴット４６として挿入されるものであり、その外周は、幅が同じである前記円筒形の接続部材４５の外周と滑らかに隣接する。前記始動位置において、前記接続部材４５は、前記キャップ３１の前記端部表面領域と前記デッキ２２，リム２３の間の間隙を貫通する。前記表側表面領域１９のところから、前記接続部材４５の外周は、シフトし、回転するだけでなく、密閉されるようにして、前記支持本体（アーバ）２０の内周と係合するものであり、伸縮式の接続部が実現することになる。各リザーバカップ１５の下、且つ前記支持本体（ボス）２０の内周における前記表側壁部２７の上において離間して設けられるものは、前記支持本体２０の拡がった内側断面への移行部における環状ショルダによって形成され、前記ベース本体５から反対側に向いていて、前記接続部材４５のカウンタストッパ４８と協働して、前記始動位置における前記ユニット２，３のための係留ロックを形成するように成した、ストッパ４７である。前記カウンタストッパ４８は、前記外周における幅広になった環状カラーと、前記リザーバ本体６の上を前記カウンタストッパ４８に達するまで摺動的に案内される前記接続部材４５の断面の端部とによって形成される。前記操作端部位置において、前記接続部材４５は、前記カウンタストッパ４８によって、前記表側壁部２７の内側側面に当接するところまで到達する。この端部位置において、各リブ３９は、前記リザーバシェル１８及び前記リザーバ開口部のそれぞれの環状画成エッジから離間して配置される間隙を更に組み込むことも可能である。
初回の使用（プライミング）に先立って、前記２つのユニット３，ベース本体４は、前記始動位置又は中間位置において前記ベース本体４，５を保護し、前記周囲の一部又はすべてに渡って前記環境から前記ベース本体４，５の間の間隙を密閉するように成した、不正使用防止シール材４９によって互いに接合される。前記不正使用防止シール材４９は、接続部５１即ち前記ベース本体４及び／又は前記ベース本体５に対するその接続部を破壊することのみによって、以前は阻止されていた前記ユニット２，３の操作運動及び回転相互運動を許容するために必要とされる前記解放位置まで並進されることが可能である。カップ状のシール材タグ５２は、この場合には、前記出口通路８及び前記開放工具４０の前記軸１０の廻りにおいて湾曲され、前記軸１０，１１の方向の平面に対して対称的に配置され、１８０度以下且つ９０度以上の円弧角度を為して前記軸１０の廻りに延在するものである。前記シール材タグは、互いに面する前記キャップシェル２６，３２の端部に隣接するものであり、それは、一点鎖線５３で示されたように、設計破壊接続部を介して前記キャップシェル３２の中へ一体的に移行することも可能であり、前記ベース本体５とは別個に形成されるので、それは、その内周において、前記キャップシェル３２の外周と端部エッジの両方のためのセンタリング表面領域及びストッパ表面領域を形成することも可能である。前記シール材タグ５２は、前記シール材タグ５２の内周から内側に向かって突出し、前記シール材タグ５２のものと全く同じである前記リム２３の下側端部表面領域に隣接するように成した、前記接続部５１によって前記リム２３の外周に対して一体的に接続される。
前記ベース本体４，５の共同一体的な製造において、前記接続部５１は、フィルム・ヒンジ型継手として形成されることも可能であり、両方のベース本体４，５は、前記ヒンジ軸の廻りにおいて図１で示されたような位置になるように折り畳まれるその前に、同じく直接に面する各キャップ開口部の中に並置して配置されるようにして形成されることが可能である。前記接続部５１は、強力な軸方向圧力を各取っ手２９，３５に対して加えることによって、或いは、前記シール材タグ５２を、それが可撓的に変形されて前記２つのベース本体４，５から完全に取り除かれるように成して、半径方向外側に向かって手で引き剥がすことによって解放されることが可能である。
上述の第１の事例において、前記シール材タグ５２は、前記ベース本体５の上に留まったままであり、前記ユニット２，３の相互軸方向運動は、それでもなお許容されるが、前記軸１１の廻りにおけるそれらの相互回転運動は、その残っているシール材タグ５２がこれを妨げる故に、許容されるものではない。前記軸方向ストロークにおいて、前記デッキ２２，リム２３が前記キャップシェル３２の中に到達するや否や、これもまた、前記不正使用防止シール材４９に関わりなく、前記ユニット２，３の如何なる回転運動をも防止することになる。何故なら、前記シール材タグ５２の内周が前記キャップシェル３２の内周の滑らかな継続部分を形成するからである。前記ベース本体４，５を相互に捩じることによって前記接続部５１を破壊して前記シール材タグ５２を撤去することが可能になり、結果として、前記出口通路８を前記第２のリザーバ７と位置合わせするために必要とされる回転運動を許容することになるのは、前記ユニット２，３がそれらの始動位置まで伸縮的に引き延ばされてしまった後なのである。
前記チャンバ２４の開放を容易にするために、制御手段（圧力点制御装置）５０が設けられ、前記圧力点制御装置は、所定の圧力が前記取っ手２９，３５の表面領域において達成されるまでは前記ユニット２，３を適所にロックし、その後、それは容易に打破されるものであり、前記ユニット２，３は、互いに向かって大きく加速され、前記選択されたチャンバ２４の前記リザーバシール材１６のみが穴を開けられるようにして、手動で付勢されることが可能である。この場合、前記圧力点制御装置の保持部材は、前記接続部５１であると考慮されることになるが、破壊の後、前記接続部は、前記第２のリザーバ７からの吐出のためには、もはや有効でない。各々のリザーバ７の開放即ち吐出においても有効である制御手段５０を有するために、前記ユニット２，３は、半径方向に柔軟なラッチを介して前記始動位置において相互係合すべく配置されることが可能であり、前記ラッチは、作動時には係合解除され、前記始動位置への復帰時には再度係合されるのである。前記ベース本体４，５の外側と内側の断面の間において有効であることは別として、前記ラッチは、例えば前記接続部材４５，カウンタストッパ４８の下側端部表面領域に隣接して前記支持本体２０の部分の上に突出するラッチ・カムを設けることによって、前記ベース本体５，リザーバ本体６の間において直接に有効であることもまた可能である。
前記吐出ノズル３４は、前記軸方向操作の前又は後において、処置される患者の身体開口部の中に導入されることが可能である。前記第１の事例では、前記送出し流を前記チャンバ２４の中だけでなく前記出口通路８の中に対しても押し上げるためのポンプが、例えばプランジャとして機能する前記接続部材４５，カウンタストッパ４８及びバレルとして機能する前記リザーバ本体６，支持本体２０によって、設けられて形成されることも可能である。しかしながら、図示された実施例では、前記ディスペンサ１は、完全にバルブを欠いたものである。何故なら、入口弁又は出口弁が、前記送出し流及び前記媒体のための通路のいずれにおいても全く必要とされないからである。軸方向操作の後、前記軸１０に対して前記方向１２において鋭角を為して収束し、即ち、各ウェブ４２に対して平行且つそれらの内側エッジから直線的に伸長して方向付けされるようにして設けられるように成した、各リブ３９のストッパ５４の各端部エッジは、これらのストッパ５４のエッジが前記リザーバシェル１８の中まで突出するように、前記軸方向断面において直角に側面形成される前記チャンバ開口部の鋭い画成エッジから軸方向に僅かに離間して配置される。
前記ベース本体４，リザーバ本体６の外側側面と前記ベース本体５の内側側面の間に配置されるものは、前記デッキ２２，リム２３の平行壁部の間の前記キャップシェル２６，３２の全周から前記出口シェル３７の全周にまで達して、そこからは直接に前記チャンバ２４へ向かうように延在するものとして説明されたポート即ち通路５５である。前記出口シェル３７の外側幅は、前記リザーバシェル１８の内側幅の３分の２よりも大きく、前記出口通路８の平均幅は、前記リザーバシェル１８の前記幅の２分の１に対応する。空気が前記媒体オリフィス９を介して前記出口通路８及び前記チャンバ２４から介在する弁なしで吸い込まれると、空気は、上述のように同じく弁制御なしで入口５６を経由して外部から前記通路５５を介して前記チャンバ２４の中へ流れ込むので、前記媒体は、その中で強力に旋回され、結果として、各三角ポート４４、前記出口通路８及び前記媒体オリフィス９を連続的に介して押し出される媒体と送出し流から成る有効に均質化された混合物を生じることになる。一旦、前記チャンバ２４が空にされてしまうと、前記ユニット２，３は、前記接続部材４５，カウンタストッパ４８が前記表側壁部２７の底部に接触して停止される前記端部位置から、停止して伸長される前記始動位置へ戻るように手動で復帰され、それらの相互の捩じれ防止ロックは、ここで解除される。前記ユニット２，３は、その後、前記軸１１の廻りにおいて１８０度に渡って逆方向に捩じられ、各吐出ノズル３４，出口シェル３７から三角ポート４４，ストッパ５４は、結果として、未だ開放されるべきである前記第２のリザーバ７の上において位置合わせされる。これは、その後、上述のように軸方向操作によって第２の鼻孔の中に放出されることが可能である。
図１において示された事例では、前記吐出ノズル３４のシャンクの軸方向範囲は、前記キャップ３１の軸方向範囲よりも大きいが、図３において示された事例では、それは、小さめであり、前記ベース本体４及びリザーバ本体６のそれぞれの軸方向範囲よりも小さい。その軸方向ストロークは、各キャップ２５，３１の各々の軸方向範囲又は前記吐出ノズル３４のものよりも小さく、前記ストロークの長さは、前記操作端部位置における各取っ手２９，３５の間の間隔に対応する。前記キャップ３１は、前記キャップ２５の２倍ほどの長さであり、前記キャップ２５は、前記操作端部位置においてのみ前記キャップをその内部に収容するものであり、前記キャップ３１の長さは、前記取っ手３５の表側表面領域から前記キャップシェル３２の端部エッジに達するところまで測定される。前記リザーバ本体６の軸方向範囲は、前記キャップ２５又は全体としてのベース本体４のものと等しいものであり、結果として、小型に形成されて操作も簡単である前記ディスペンサ１を生じることになる。
組立てに関して、先ず第１に、前記接続部材４５，カウンタストッパ４８は、それが前記ストッパ４７に当接するところに到達するまで、前記方向１２において下から前記支持本体２０の部分の中に挿入され、続いて、それは、挿入と同じ前記方向１２において前記突起３６，コネクタスピゴット４６を介して前記ベース本体５に対して接続される。その後、この組立体は、前記方向１３において前記ベース本体４の中に挿入され、前記キャップシェル３２は、５３において前記不正使用防止シール材（ロック）４９に当接するところに到達し、結果として、前述のようにプライミングの準備が整った前記ディスペンサ１を生じることになる。前記接続部材４５，カウンタストッパ４８が、例えばそれが前記ベース本体５と共に一体的に形成される故に、前記リザーバ本体６に対して取り付けられる前に前記ベース本体５と共に組立体を形成すべきであるならば、前記カウンタストッパ４８は、スナップ作用部材などとして形成されることも可能であり、前記スナップ作用部材は、前記方向１３において前記支持本体２０の部分の中へ挿入される際、前記ストッパ（ショルダ）４７を乗り越えた後に半径方向外側に向かってそのロック位置へ戻るように跳ね返る前に、前記表側表面領域１９から先ず初めに半径方向内側に向かって撓むことになる。
前記支持本体２０の部分の外周、前記キャップシェル２６の内周、前記表側壁部２７の内側側面によってだけでなく、前記リザーバカップの各壁部によっても画成され、更に、隣接するリザーバカップ１５の間では、前記フランジ付きデッキ２２の内側側面によっても画成されるように成した環状空間は、空であり、即ち固定して搭載される品目を免れるものであり、異なった深さのリザーバカップ１５が、１つの同じキャップ２５の中に挿入され得ることになる。そのストロークの大きさは、前記リザーバ本体６のみによって、或いはそれを前記カウンタストッパ４８と協働させることによって規定されるので、前記ストロークをそれに対応するカップ深さに対して適応させることは、前記ベース本体４，５に対する何らかの変更を包含することなく、前記リザーバ本体６だけでなく前記接続部材４５にも変更を加えることによって、簡単に実行される。しかしながら、いずれにせよ、各リザーバカップは、各々の操作位置において各取っ手２９，３５の間において且つそこから離間して配置されるのである。
図３及び図４から明らかであるように、前記ベース本体４は、全く取り除かれることが可能であり、即ち、前記支持本体２０の部分の下側端部と共に前記取っ手２９をも形成する前記リザーバ本体６，支持本体２０のみによって形成されることが可能である。この場合には、前記突起３６は、その残りの接続部材４５と共に一体的に形成される。前記始動位置においても、すべてのリザーバ７即ちリザーバカップ１５は、完全に前記キャップシェル３２の中に配置されることになり、前記支持本体２０の部分だけが、前記シェルの下側開口部を越えて自由に突出するのである。前記構成は、前記操作ストロークでは、前記接続部材４５が、前記尖端４１が前記リザーバシール材１６に到達してしまう前には、前記支持本体（シャンク）２０の前記取っ手２９の下側端部から僅かに突き出しているので、結果として、ユーザーが、前記取っ手２９を指で押すことによってそれに対応する前記ユニット２，３の間の相対的な位置を触って確かめるように成して、形成されることが可能である。前記軸１１の廻りにおいて一様に配分される４つのチャンバ２４即ちリザーバカップ１５は、各ステム２１を介して前記支持本体２０に対して接続されるものであり、各ステム２１は、直接にリム２２のカバー部分になるべく移行するが、それらは、周方向では互いに離間して配置されることになり、その結果、各々のリザーバカップ１５は、前記支持本体２０から自由に突出する単独アーム式の半径方向レバーのように、前記支持本体２０に対して僅かに弾力的なピボット旋回運動を実行することが可能である。この場合には、前記制御手段（制御装置）５０の相互係合部材は、前記ベース本体５，リザーバ本体６において直接に設けられるものであり、即ち、前記キャップシェル３２の内周及び前記デッキ２２の最外部の外周において設けられるだけでなく、更に、各々がそれに対応するベース本体５及びリザーバ本体６のそれぞれと一体的に形成されることになるのである。前記キャップシェル３２は、隣接するようにして、互いに対向するストッパ４７，接続部５１の表面領域をその自由な端部エッジにおいて含んで成り、それらの表面領域は、前記軸１１の廻りにおける環状溝のフランクとして全長に渡って設けられることも可能である。ストッパ４７，接続部５１の両方の表面領域は、各々が２つのフランクによって画成される独立した半径方向の突起によって形成される。前記キャップシェル３２の端部エッジに対してより接近して配置される前記ストッパ（突起のフランク）４７は、前記接続部（ショルダ）５１に所属する前記突起のそれに対応するフランクよりも前記リザーバ本体６の前記カウンタストッパ（突起）４８に対して大きな復帰抵抗を発揮するものであり、例えば前記軸１１に対して直角に配置されることも可能である。前記デッキ２２は、各々のリザーバカップ１５の廻りにおいて、最も突出した半径方向のカウンタストッパ（リム突起）４８を形成するものであり、前記ストッパ４７，接続部５１の表面領域は、すべてのカウンタストッパ４８の運動行程の中に配置される。前記始動位置において、それらのカウンタストッパ４８は、前記ストッパ４７，接続部５１の表面領域の間に都合良く配置されるものであり、操作に際して、前記接続部５１の傾斜表面領域は、前記加速される作動ストロークが始まる前に、前記リザーバ本体６の前述の弾力的な規定領域を備えた前記カウンタストッパ４８によって先ず初めに摺動的に克服されなければならない。その後、前記ユニット２，３が伸縮的に再び伸長される場合には、前記リザーバ本体６は、前記カウンタストッパ４８が前記接続部５１の表面領域の前記突起のもう一方の傾斜表面領域に沿って前記ストッパ４７，接続部５１のラッチ開口部の区域の中へ摺動するとき、それに対応して反対方向に変形する。前記始動位置において、前記リザーバ本体６は、それに応じて、前記制御手段５０のスナップ作用接続部によって適所にロックされるのである。
各々の作動回転位置において、前記２つのユニット２，３は、相互に捩じられて適所から外されることを捩じれ防止ロック５７によって確実に防止されるものであるが、僅かな相互の弾力的な捩じれ運動を許容するに足る十分な回転方向の遊びを備えていて、前記ユニット２における前記ストッパ５４の表面領域の軸方向停止におけるそれらの正確な相互の位置合わせを許容することになる。各々が軸方向に見て半円且つ凸状に画成される２つのカウンタストッパ４８の間において、前記デッキ（突起）２２の外側端部表面領域は、各々の場合に、前記キャップシェル３２の内周において上述の回転方向の遊びを備えて僅かな半径方向の張力と共に突起５９によって係合されるように成した、半円且つ凹状の画成領域の凹部５８を形成する。前記突起５９は、実際的に前記操作ストロークの全体に渡って前記リザーバ本体６を案内するものであるが、各カウンタストッパ（ラッチ部材）４８が前記ストッパ４７，接続部５１のラッチ開口部の中に配置されるときには、それを解放して、前記軸１１の廻りにおいて回転運動させることになる。この構成において、ラッチ部材は、前記ストッパ４７，接続部５１の溝の区域の中に都合良く設けられるものでもあり、それらの溝は、前記捩じれ防止ロック５７とは違って、前記リザーバ本体６に対して加えられる相互の回転力によって打破されることが可能であり、更に、それらの溝は、前記チャンバ２４が前記軸１０の中に配置されるときには常に適所にロックすることになる。確実な摩擦によってのみ有効であるこのラッチ位置から、前記リザーバ本体６は、その後、前記作動ストロークの開始の直後に、前記確実な捩じれ防止ロック（回転ロック）５７の中に並進される。この目的のために、前記突起５９の端部表面領域は、前記方向１２において傾斜して前記軸１１に接近することが可能である。各々の突起５９の区域の中において、前記キャップシェル３２の厚さは、それがその外周においてユーザーのためのフィンガ・スカラップを形成するようにして、削減されることも可能である。
上述の前記ディスペンサ１は、粉体、粒体又は類似の流動性媒体或いは固体物質のために特に適したものである。しかしながら、それは、液体又は糊状の媒体のためのものとして全く同様に適していることも可能であり、その場合には、前記開放工具４０の部分又はリザーバシール材１６の部分は、前記リザーバシェル１８に沿って摺動的に密閉されるプランジャを含んで成ることになり、結果として、前記チャンバ２４の中に吐出圧力を形成するのである。前記プランジャ即ちリザーバシール材１６を開放して穴を開けるための前記開放工具４０は、金属材料から成り、より詳細にはステンレス鋼から成る中空の針であることもまた可能であり、前記出口通路８は、前記針を介して案内されるのである。この場合には、前記出口通路８は、その後、出口弁を介して都合良く案内されるものであり、前記出口弁は、前記ストロークの行程の故に十分に高い圧力が前記チャンバ２４の中に構築されてしまうまでは開弁しない。この構成では、前記送出し流は、前記出口通路８の中へ直接に流れ込むこともまた可能であり、前記通路の媒体オリフィス９は、前記媒体に渦巻きを与えるための手段を備えた噴霧器ノズルによって都合良く形成される。図３及び図４から明らかであるように、前記ユニット２，３又は前記ベース本体５，リザーバ本体６、特には前記キャップシェル３２は、軸方向に見て前記軸１０の廻りにおいて円形に画成されるものであり、それらの取っ手２９，３５は、図１及び図２で示されたように前記軸１０，１１に対して長手方向に直交して延在するものではない。
すべての実施例のすべての特徴は、任意の１つのディスペンサに関して、相互に交換可能であり、即ち互いに補足されるものであり、前記説明のすべての部分は、すべての実施例に対しても適用される。前記説明において列挙された、位置の規定、寸法の関係などのようなすべての効果及び特徴は、説明された通りに正確に設けられることが可能であり、或いは説明に従って実質的又は概略的に設けられることも可能であり、所望される吐出効果に応じて、そこから大きく逸脱することもまた可能であることになる。
【図１】
0004183284.tif 000002
【図２】
0004183284.tif 000003
【図３】
0004183284.tif 000004
【図４】
0004183284.tif 000005